(57)【要約】本発明は、増幅器と伝送ラインとを備える進行波増幅器に関する。進行波増幅器は、伝送ラインの損失の補償、信号の増幅、および増幅器を伝送ラインに逆並列に結合させることによる入力と出力の間の分離を提供する。
2006506879.tif 000002
【特許請求の範囲】
【請求項１】
２つの伝送ラインと、少なくとも２つの増幅器と、を備え、
前記増幅器は、前記伝送ラインに逆並列に結合される、ことを特徴とする進行波増幅器。
【請求項２】
前記増幅器を前記伝送ラインにそれぞれ結合するための結合手段が設けられていることを特徴とする請求項１に記載の進行波増幅器。
【請求項３】
前記増幅器の入力ポートから一方の前記伝送ラインへの前記結合は、前記増幅器の出力ポートから他方の前記伝送ラインへの結合からのセットオフにより、空間的であることを特徴とする請求項１に記載の進行波増幅器。
【請求項４】
前記結合手段は、電気的接続であることを特徴とする請求項２に記載の進行波増幅器。
【請求項５】
前記結合手段は、方向性結合回路であることを特徴とする請求項２に記載の進行波増幅器。
【請求項６】
前記増幅器の出力信号の位相は、各伝送ラインの進行波の位相と整合されていることを特徴とする請求項１に記載の進行波増幅器。
【請求項７】
前記空間的オフセットは、前記位相整合を提供することを特徴とする請求項３に記載の進行波増幅器。
【請求項８】
前記増幅器の位相は、前記位相整合を提供することを特徴とする請求項１に記載の進行波増幅器。
【請求項９】
前記結合手段は、前記位相整合を提供することを特徴とする請求項２に記載の進行波増幅器。
【請求項１０】
前記増幅器は、ＤＣバイアス電圧を、前記伝送ラインから引き出すことを特徴とする請求項１に記載の進行波増幅器。
【請求項１１】
特に、２つの伝送ラインと少なくとも２つの増幅器を有する請求項１に記載の進行波増幅器を用いて、進行波増幅を提供する方法であって、
前記伝送ラインにおける前記進行波は、１８０°の位相差を有し、
一対の前記増幅器の出力は、第１伝送ラインの進行波が第１増幅器に供給されるように、前記伝送ラインに逆並列に供給され、
前記第１増幅器は、増幅された信号を、前記第２伝送ラインの進行波に加え、前記第２伝送ラインの進行波は、第２増幅器に供給され、
前記第２増幅器は、増幅された信号を、前記第１伝送ラインの進行波に加える、
ことを特徴とする方法。
【請求項１２】
光システム、光スイッチマトリックス、光通信システム、ＲＦ広帯域製品、マイクロ波通信、衛星ＴＶまたは衛星通信用のセットトップボックス、衝突防止レーダー、ワイヤレスローカルループ、ＧａＡｓなどの先進ＩＣプロセッサおよびＩｎＰプロセスにおける、請求項１に記載の進行波増幅器または請求項１１に記載の方法の使用。
【発明の詳細な説明】
【技術分野】
【０００１】
本発明は、２つの伝送ラインと、少なくとも２つの増幅器と、を備える進行波増幅器に関する。本発明は、さらに、進行波の増幅を提供するための方法およびこのような進行増幅器または方法の使用に関する。
【背景技術】
【０００２】
米国特許第５，５５０，５１３号において、全差動増幅器が述べられている。この増幅器は、複数の相互接続され分配された増幅器段を備え、各増幅器段は、高周波入力信号を受け取る入力手段を有する。分配された各増幅器段に高周波入力信号を伝送するための一対の伝送ラインが、設けられている。回路は、また、分配された各増幅器段に接続され、合計された差動出力を適切な出力端子に供給する、一対の出力伝送ラインを備える。さらに、バイアス手段が設けられており、ＤＣ電流を分配された増幅器段に供給し、高周波差動出力の振幅を制御する。この差動増幅器は、リターン電流が流れるグランド平面を有する不平衡の伝送ラインを備える。
【発明の開示】
【発明が解決しようとする課題】
【０００３】
したがって、本発明の目的は、改善された進行波増幅器を提供することである。
【課題を解決するための手段】
【０００４】
本発明の目的は、前記増幅器が、前記伝送ラインに逆並列に結合された、進行波増幅器によって達成される。これにより、第１伝送ラインにおける進行波が、第１増幅器に供給され、前記第１増幅器は、この入力信号を増幅し、この増幅された信号を、前記第２伝送ラインの進行波に加える。前記第２伝送ラインの進行波は、第２増幅器の入力ポートに供給され、前記第２増幅器も、この信号を増幅し、増幅された信号を、前記第１伝送ラインの進行波に加える。２つの連続する増幅器が、伝送ラインに逆並列に結合されていることが望ましい。増幅された信号は、伝送ライン上の信号に加えられ、各増幅器により、進行波が増幅される。
【０００５】
このような進行波増幅器を提供することにより、信号を増幅し、伝送ラインの損失を補償し、同相モード電流を減少させ、入力および出力信号を分離し、反射波を抑制することができる。
【０００６】
前記結合手段を提供する実施形態においては、増幅器を、伝送ラインに電気的に結合することができる。好ましくは、前記結合手段は、請求項４または請求項５に記載の電気的接続または方向性結合である。方向性結合回路は、方向性および分離を、進行波増幅器に加えることができる。
【０００７】
請求項３に記載の結合は、増幅器と伝送ラインの間の容易な結合を可能にする。空間的なオフセットが許容されるため、設計の制限を克服することができる。
【０００８】
請求項６に記載の進行波増幅器が、さらに好ましい。２つの伝送ラインにおける進行波は、１８０°の位相差を有することができる。増幅器の出力信号を、伝送ライン上の進行波に結合する際、信号の位相は、増幅信号が進行波に加わるように整合する必要がある。
【０００９】
請求項１０に記載の進行波増幅器は、さらなる回路による増幅器の減結合を可能にする。
【００１０】
特に、２つの伝送ラインと少なくとも２つの増幅器を有する前述の進行波増幅器を用いて、進行波増幅を提供する方法において、前記伝送ラインにおける前記進行波は、１８０°の位相差を有し、一対の前記増幅器の出力は、第１伝送ラインの進行波が第１増幅器に供給されるように、前記伝送ラインに逆並列に供給され、前記第１増幅器は、増幅された信号を、前記第２伝送ラインの進行波に加え、前記第２伝送ラインの進行波は、第２増幅器に供給され、前記第２増幅器は、増幅された信号を、前記第１伝送ラインの進行波に加える方法が、本発明のさらなる態様である。
【００１１】
本発明の他のさらなる態様は、光システム、光スイッチマトリックス、光通信システム、ＲＦ広帯域製品、マイクロ波通信、衛星ＴＶまたは衛星通信用のセットトップボックス、衝突防止レーダー、ワイヤレスローカルループ、ＧａＡｓなどの先進ＩＣプロセッサおよびＩｎＰプロセスにおける、進行波増幅器の使用である。
【発明を実施するための最良の形態】
【００１２】
図１は、一般的な進行波増幅器（ＴＷＡ：Travelling-Wave Amplifier）を示している。このＴＷＡは、トランジスタの寄生を、伝送ラインの一体部分として使用することに基づいている。複数のトランジスタ３を、それらの間の適切な接続線で接続することにより、分配された、すなわち合成の伝送ラインが形成される。この伝送ラインは、信号喪失の代わりに、信号利得を示す。
【００１３】
合成伝送ラインは、トランジスタ３のゲート回路において、インダクタ８ａと、トランジスタ３の入力インダクタンスとにより形成される。合成ドレイン伝送ラインが、インダクタ６ａおよびキャパシタ６ｂにより形成される。インダクタ６ａおよびキャパシタ６ｂは、伝送ラインの寄生により形成される。伝送ラインは、それらの特性インピーダンス４および５で終端となる。
【００１４】
入力信号が、信号ジェネレータ２ｂとジェネレータインピーダンス２ａとを備えるジェネレータ２から、トランジスタに供給される。各トランジスタ３に対し、入力信号は、トランジスタ３のゲート線のフラクションを通じた波として、このトランジスタ３の入力を駆動しドレイン電流を生成する前に、伝播する。ドレイン電流は、ドレイン線に前方向波を生成し、この前方向波は、出力負荷１０ａを有する出力１０に伝播する。
【００１５】
このようなＴＷＡの帯域は、２つの合成ライン間の遅延ミスマッチが原因となり、限定されてしまう。利得−帯域の積は、トランジスタ電力−利得のカットオフ周波数により抑制される。
【００１６】
図２に示されているのは、図１に示されるＴＷＡのブロック図である。伝送ライン１２，１４は、増幅器１６に接続されており、増幅器１６は、キャパシタ６ｂと、トランジスタ３と、インダクタ６ａおよび８ａとを備えることができる。
【００１７】
図３は、本発明に係るＴＷＡのブロック図を示している。図示されているのは、伝送ライン１２，１４である。これらの伝送ライン１２，１４は、入力１２ａ，１４ａと、出力１２ｂ，１４ｂとを有する。これらの伝送ライン１２，１４は、増幅器１６により結合されている。これらの増幅器は、伝送ラインに逆並列（anti-parallel）に結合されている。第１増幅器１６の出力は、伝送ライン１４に結合されている。次の増幅器１６の出力は、伝送ライン１２に結合されている。これは、連続する２つの増幅器１６が、伝送ライン１２，１４に、異なる方向性を有して結合されることを意味している。増幅器１６の入力は、必ずしも、出力と空間的に同位置に配置する必要はなく、空間的オフセット２０を有していてもよい。増幅器１６の入力および出力は、結合装置１８により伝送ライン１２，１４に結合され、結合装置１８は、単純な電気接続または方向性結合回路とすることができ、ＴＷＡ回路に方向性と分離を提供する。伝送ライン１２，１４における進行波は、１８０°の位相差を有する。各増幅器１６の出力における増幅された信号は、伝送ラインにおいて、この信号が各進行波に加わるようなものとする必要がある。位相整合は、オフセット２０、増幅器１６の位相、および／または、結合装置１８の位相を変化させることにより、達成される。
【００１８】
図４は、伝送ライン１２，１４に結合された１つの増幅器１６を示している。増幅器は、キャパシタ１６ａと、インピーダンス１６ｂと、トランジスタ１６ｃとを備える。伝送ライン１２および１４は、キャパシタ２２ｂ，２４ｂおよびインダクタ２２ａ，２４ａにより、Ｖｅｅに結合される。トランジスタ１６ｃは、そのＤＣバイアスを伝送ラインから受け取る。１６個の連続する増幅器１６により、ＴＷＡは、４．６ＧＨｚのポイントで−３ｄＢを有する１１ｄＢの利得を持つことができ、これは、結果として１６．５ＧＨｚの利得−帯域の積となる。本発明の意図は、１００ＧＨｚ以上までの周波数を使用することである。特に光ネットワークにおいて、信号処理の帯域は、大きくする必要があり、例えば１０ＧＨｚの帯域が一般的である。光ネットワークにおいては、レーザーおよびフォトダイオードが、異なる接続を有するため、差動伝送ラインが、しばしば用いられる。光スイッチマトリックスにおいて、差動伝送ラインは、２ｍｍまでの長さとすることができる。これらは、半導体基板上に具体化され、かつ、多くの入力および出力を接続できる必要があり、これは、本発明に係るＴＷＡにより達成される。発明的なＴＷＡは、光スイッチングマトリックスのノードにおける欠点および信号損失を補償することができる。
【図面の簡単な説明】
【００１９】
本発明のこれらおよび他の態様は、以下の図面により明確となり、これらを参照して説明される。
【図１】図１は、本発明に係る分配された進行波増幅器を示している。
【図２】図２は、本発明に係る標準的な進行波増幅器のブロック図を示している。
【図３】図３は、本発明に係る進行波増幅器である。
【図４】図４は、本発明に係る進行波増幅器のノードである。
【図１】
2006506879.tif 000003
【図２】
2006506879.tif 000004
【図３】
2006506879.tif 000005
【図４】
2006506879.tif 000006
【国際調査報告】
2006506879.tif 000007
2006506879.tif 000008